(57)【要約】【課題】  画像の色に関するパラメータの調整に関して、利便性の向上を図る。【解決手段】  プロジェクタによって表示される画像の色に関するパラメータの調整モードに、ポイント指定モードを用意する。ポイント指定モードでは、まず、ユーザが、色補正を行いたい色が表示されている画像上の位置を、マウスポインタによって指定する。支援装置は、指定された位置に対応する画像データが表す色について、ユーザが階調、色相、彩度を調整するための調整画面を表示する。ユーザが調整値を設定すると、プロジェクタは、調整画面で設定された調整値に基づいて、ルックアップテーブルの調整を行い、色補正を行う。【選択図】  図４
2005283838.tif 000002
【特許請求の範囲】
【請求項１】
画像データが表す色に関する所定のパラメータの調整を支援する支援装置であって、
前記画像データに基づいて表示された画像上で、ユーザによって指定された位置に対応する画像データの階調値を取得する階調値取得部と、
該階調値が表す色について、前記パラメータを前記ユーザが調整するための調整画面を表示する調整画面表示部と、
を備える支援装置。
【請求項２】
請求項１記載の支援装置であって、
前記パラメータは、階調と、色相と、彩度とのうちの少なくとも１つを含む、
支援装置。
【請求項３】
請求項１記載の支援装置であって、さらに、
前記調整画面上で前記ユーザによって設定された前記パラメータの調整値を出力する調整値出力部を備える、
支援装置。
【請求項４】
請求項１記載の支援装置であって、さらに、
前記画像データの色補正処理に用いられるルックアップテーブルを保持するルックアップテーブル保持部と、
前記調整画面上で前記ユーザによって設定された前記パラメータの調整値に基づいて、前記ルックアップテーブルを調整するルックアップテーブル調整部と、
該調整されたルックアップテーブルを出力するルックアップテーブル出力部と、
を備える支援装置。
【請求項５】
画像処理装置であって、
請求項３記載の支援装置と、
前記調整値に基づいて、入力された前記画像データに対して、色補正処理を施す画像処理部と、
を備える画像処理装置。
【請求項６】
画像処理装置であって、
請求項４記載の支援装置と、
前記調整されたルックアップテーブルを用いて、入力された前記画像データに対して、色補正処理を施す画像処理部と、
を備える画像処理装置。
【請求項７】
画像表示装置であって、
入力された画像データに基づいて、画像を表示する画像表示部と、
ユーザによって指定された前記画像上の位置を入力する位置入力部と、
該入力された位置に対応する画像データの階調値を取得する階調値取得部と、
該階調値が表す色に関する所定のパラメータを、前記ユーザが調整するための調整画面を表示する調整画面表示部と、
を備える画像表示装置。
【請求項８】
請求項７記載の画像表示装置であって、
前記パラメータは、階調と、色相と、彩度とのうちの少なくとも１つを含む、
画像表示装置。
【請求項９】
請求項７記載の画像表示装置であって、さらに、
前記画像上の位置を指定するためのポインティングデバイスを備え、
前記位置入力部は、前記ポインティングデバイスによって指定された位置を入力する、
画像表示装置。
【請求項１０】
請求項７記載の画像表示装置であって、
前記調整画面上で設定された調整値に基づいて、前記画像データに対して、色補正処理を施す画像処理部を備え、
前記画像表示部は、前記色補正処理後の画像データに基づいて、画像を表示する、
画像表示装置。
【請求項１１】
請求項１０記載の画像表示装置であって、
前記画像処理部は、前記色補正処理に用いられるルックアップテーブルを有しており、前記調整値に基づいて、前記ルックアップテーブルを調整する、
画像表示装置。
【請求項１２】
請求項７記載の画像表示装置であって、
前記調整画面表示部は、前記画像とともに、前記調整画面を表示する、
画像表示装置。
【請求項１３】
画像データが表す色に関する所定のパラメータの調整を支援する支援装置の制御方法であって、
（ａ）前記画像データに基づいて表示された画像上で、ユーザによって指定された位置に対応する画像データの階調値を取得する工程と、
（ｂ）該階調値が表す色について、前記パラメータを前記ユーザが調整するための調整画面を表示する工程と、
を備える制御方法。
【請求項１４】
画像データが表す色に関する所定のパラメータの調整を支援する支援装置を制御するためのコンピュータプログラムであって、
前記画像データに基づいて表示された画像上で、ユーザによって指定された位置に対応する画像データの階調値を取得する機能と、
該階調値が表す色について、前記パラメータを前記ユーザが調整するための調整画面を表示する機能と、
をコンピュータに実現させるためのコンピュータプログラム。
【請求項１５】
請求項１４記載のコンピュータプログラムをコンピュータ読み取り可能に記録した記録媒体。
【発明の詳細な説明】
【技術分野】
【０００１】
本発明は、画像表示装置によって表示される画像の色補正を支援する技術に関するものである。
【背景技術】
【０００２】
従来、画像表示装置によって表示される画像の色補正には、ルックアップテーブルや、関数が用いられている。通常、これらは、ユーザが、階調、色相、彩度など、画像の色に関するパラメータを、所定の調整画面上で調整することによって、間接的に調整可能である。そして、ユーザは、所望の画像が得られるように、試行錯誤的にパラメータの調整を繰り返し、画像全体の色の変化を観察しながら、色補正を行う。画像の色補正について、ユーザがルックアップテーブルを直接的に調整することも可能である（例えば、特許文献１参照）。
【０００３】
【特許文献１】特開平７−１４１３２９号公報
【発明の開示】
【発明が解決しようとする課題】
【０００４】
しかし、従来の技術では、ユーザは、画像上の任意の位置を指定して、その位置の色について、パラメータの調整を行うことができず、利便性が悪かった。例えば、画像上の人間の肌の色を補正したいときに、その肌の位置を指定して、パラメータの調整を行うことはできなかった。
【０００５】
本発明は、上述の課題を解決するためになされたものであり、画像の色に関するパラメータの調整に関して、利便性の向上を図ることを目的とする。
【課題を解決するための手段】
【０００６】
上述の課題の少なくとも一部を解決するため、本発明では、以下の構成を採用した。
本発明の第１の装置は、
画像データが表す色に関する所定のパラメータの調整を支援する支援装置であって、
前記画像データに基づいて表示された画像上で、ユーザによって指定された位置に対応する画像データの階調値を取得する階調値取得部と、
該階調値が表す色について、前記パラメータを前記ユーザが調整するための調整画面を表示する調整画面表示部と、
を備えることを要旨とする。
【０００７】
パラメータとしては、階調や、色相や、彩度などが挙げられる。パラメータは、これらのうちの少なくとも１つを含んでいればよい。
【０００８】
本発明によって、画像上でユーザによって指定された位置に対応する色について、パラメータの調整を行うことができるので、画像の色に関するパラメータの調整に関して、利便性を向上させることができる。
【０００９】
上記支援装置において、さらに、
前記調整画面上で前記ユーザによって設定された前記パラメータの調整値を出力する調整値出力部を備えるようにすることができる。
【００１０】
さらに、本発明は、
上記支援装置と、
前記調整値に基づいて、入力された前記画像データに対して、色補正処理を施す画像処理部と、
を備える画像処理装置の発明として構成することもできる。
【００１１】
こうすることによって、画像処理装置は、画像上でユーザによって指定された位置に対応する色について、上記支援装置から出力された調整値に基づいて、色補正処理を行うことができる。
【００１２】
また、本発明の支援装置において、さらに、
前記画像データの色補正処理に用いられるルックアップテーブルを保持するルックアップテーブル保持部と、
前記調整画面上で前記ユーザによって設定された前記パラメータの調整値に基づいて、前記ルックアップテーブルを調整するルックアップテーブル調整部と、
該調整されたルックアップテーブルを出力するルックアップテーブル出力部と、
を備えるようにしてもよい。
【００１３】
さらに、本発明は、
上記支援装置と、
前記調整されたルックアップテーブルを用いて、入力された前記画像データに対して、色補正処理を施す画像処理部と、
を備える画像処理装置の発明として構成することもできる。
【００１４】
こうすることによって、画像処理装置は、画像上でユーザによって指定された位置に対応する色について、上記支援装置から出力されたルックアップテーブルを用いて、色補正処理を行うことができる。
【００１５】
本発明の第２の装置は、
画像表示装置であって、
入力された画像データに基づいて、画像を表示する画像表示部と、
ユーザによって指定された前記画像上の位置を入力する位置入力部と、
該入力された位置に対応する画像データの階調値を取得する階調値取得部と、
該階調値が表す色に関する所定のパラメータを、前記ユーザが調整するための調整画面を表示する調整画面表示部と、
を備えることを要旨とする。
【００１６】
パラメータとしては、先に説明した支援装置の場合と同様に、階調や、色相や、彩度などが挙げられる。パラメータは、これらのうちの少なくとも１つを含んでいればよい。
【００１７】
本発明によって、画像上でユーザによって指定された位置に対応する色について、パラメータの調整を行うことができるので、画像の色に関するパラメータの調整に関して、利便性を向上させることができる。
【００１８】
上記画像表示装置において、さらに、
前記画像上の位置を指定するためのポインティングデバイスを備え、
前記位置入力部は、前記ポインティングデバイスによって指定された位置を入力するようにすることができる。
【００１９】
こうすることによって、ユーザは、画像上の位置を容易に指定することができる。なお、画像表示部として、いわゆるタッチパネル付きディスプレイを適用し、このディスプレイの表面から画像上の位置の指定を行うようにしてもよい。
【００２０】
本発明の画像表示装置において、
前記調整画面上で設定された調整値に基づいて、前記画像データに対して、色補正処理を施す画像処理部を備え、
前記画像表示部は、前記色補正処理後の画像データに基づいて、画像を表示するようにすることができる。
【００２１】
こうすることによって、ユーザは、色補正処理後の表示画像を観察しながら、パラメータの調整を行うことができる。
【００２２】
上記画像表示装置において、
前記画像処理部は、前記色補正処理に用いられるルックアップテーブルを有しており、前記調整値に基づいて、前記ルックアップテーブルを調整するようにすることができる。
【００２３】
こうすることによって、調整値に基づいて調整されたルックアップテーブルを用いて、色補正処理を行うことができる。
【００２４】
本発明の画像表示装置において、前記画像と、前記調整画面とは、別々に表示するようにしてもよいが、
前記調整画面表示部は、前記画像とともに、前記調整画面を表示するようにすることができる。
【００２５】
こうすることによって、ユーザは、視線を大きく移動させることなく、画像と、調整画面とを同時に見ることができる。
【００２６】
本発明は、上述した種々の特徴を必ずしも全て備えている必要はなく、その一部を省略したり、適宜、組み合わせたりして構成することができる。本発明は、上述の支援装置、画像処理装置、画像表示装置としての構成の他、支援装置の制御方法、画像処理装置の制御方法、画像表示装置の制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２７】
本発明をコンピュータプログラムまたはそのプログラムを記録した記録媒体等として構成する場合には、支援装置、画像処理装置、画像表示装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２８】
以下、本発明の実施の形態について、実施例に基づき以下の順序で説明する。
Ａ．画像表示システム：
Ｂ．プロジェクタの構成：
Ｃ．支援装置の構成：
Ｄ．ポイント指定モード：
Ｄ１．調整画面：
Ｄ２．パラメータ調整処理：
Ｅ．通常調整モード：
Ｅ１．調整画面：
Ｅ２．パラメータ調整処理：
Ｆ．変形例：
【００２９】
Ａ．画像表示システム：
図１は、本発明の一実施例としての画像表示システム１０００の構成を示す説明図である。この画像表示システム１０００は、プロジェクタ１００と、パーソナルコンピュータ２００とを備えている。プロジェクタ１００は、パーソナルコンピュータ２００から受信した画像データに基づいて、画像をスクリーンＳＣ上に投写する。
【００３０】
本実施例の画像表示システム１０００では、プロジェクタ１００によって投写される画像の色に関するパラメータの調整を、パーソナルコンピュータ２００のディスプレイに表示された調整画面（グラフィカル・ユーザ・インタフェース）から行うことができる。そして、パラメータの調整について、ポイント指定モードと、通常調整モードという２種類の調整モードが用意されている。ポイント指定モードとは、ユーザが画像上の位置を指定して、その位置に対応する画像データが表す色について、パラメータの調整を行う調整モードである。また、通常調整モードとは、ユーザが画像上の位置の指定を行わずに、パラメータの調整を行う調整モードである。これらの調整モードは、ユーザによって、任意に選択される。本実施例では、画像の色に関するパラメータとして、階調、色相、彩度を調整できるものとした。パーソナルコンピュータ２００は、本発明における支援装置に相当する。以下、パーソナルコンピュータ２００を、支援装置２００とも呼ぶ。
【００３１】
Ｂ．プロジェクタの構成：
図２は、プロジェクタ１００の概略構成を示す説明図である。図示するように、プロジェクタ１００は、レシーバ１２と、フレームメモリ１４と、ＯＳＤ部１６と、画像処理部２０と、液晶パネル駆動部３０と、液晶パネル３２と、制御部４０と、通信部４２とを備えている。プロジェクタ１００は、さらに、液晶パネル３２を照明するための照明装置５０と、液晶パネル３２を透過した透過光をスクリーンＳＣ上に投写するための投写光学系５８とを備えている。
【００３２】
レシーバ１２は、パーソナルコンピュータ２００から供給された画像信号ＶＳを入力し、画像処理部２０で処理可能な形式の画像データに変換する。画像信号ＶＳは、アナログ画像信号であってもよいし、ディジタル画像信号であってもよい。
【００３３】
フレームメモリ１４は、レシーバ１２から出力された画像データを、１画面分ずつ記憶する。
【００３４】
ＯＳＤ部１６は、フレームメモリ１４に記憶された画像データに基づく画像と、その他の画像（例えば、メニュー画面や、各種設定画面等）とを重ね合わせた画像の画像データを生成する。
【００３５】
画像処理部２０は、入力された画像データに対して、輝度調整、色バランス調整、コントラスト調整、シャープネス調整などの画質調整や、画像サイズを拡大／縮小する処理や、プロジェクタ１００よってあおり投写を行うときの台形歪補正等の各種画像処理を施す。また、画像処理部２０は、図示しない３次元ルックアップテーブルＬＵＴを備えており、これを用いて、Ｒ（赤），Ｇ（緑），Ｂ（青），Ｃ（シアン），Ｍ（マゼンタ），Ｙ（イエロ）の６軸について、色補正を行う。また、画像処理部２０は、ルックアップテーブル調整部２２を備えており、このルックアップテーブル調整部２２は、支援装置２００で設定されたパラメータの調整値に基づいて、ルックアップテーブルＬＵＴのデータを調整する。パラメータの調整値については、後述する。なお、本実施例では、画像処理部２０は、色補正にルックアップテーブルＬＵＴを用いるものとしたが、この代わりに、所定の関数を用いるようにしてもよい。関数を用いる場合には、調整値に基づいて、ルックアップテーブルの調整を行う代わりに、関数の調整を行うようにすればよい。
【００３６】
液晶パネル駆動部３０は、画像処理部２０において画像処理が施された画像データに基づいて、液晶パネル３２を駆動するための駆動信号を生成する。
【００３７】
液晶パネル３２は、液晶パネル駆動部３０で生成された駆動信号に応じて照明光を変調する。液晶パネル３２は、透過型の液晶パネルであり、照明装置５０から射出された照明光を変調するライトバルブ（光変調器）として使用されている。液晶パネル３２は、本発明における画像表示部に相当する。
【００３８】
照明装置５０は、光源ランプ５２と、ランプ駆動部５４とを備えている。本実施例では、光源ランプ５２として、超高圧水銀ランプを用いるものとした。光源ランプ５２として、メタルハライドランプ、キセノンランプなどの他の放電ランプを用いるようにしてもよい。
【００３９】
ランプ駆動部５４は、制御部４０で設定された設定値に従って、ランプ電力を変更して光源ランプ５２を駆動する。
【００４０】
なお、図示は省略しているが、このプロジェクタ１００は、ＲＧＢの３色分の３枚の液晶パネル３２を備えている。また、各部は３色分の画像データを処理する機能を備えている。照明装置５０は、白色光を３色の光に分離する色光分離光学系を備えている。また、投写光学系５８は、３色の画像光を合成してカラー画像を表す画像光を生成する合成光学系を備えている。
【００４１】
制御部４０は、図示した各部の動作を制御する。通信部４２は、支援装置２００と各種データのやり取りを行う。通信部４２は、例えば、支援装置２００から、パラメータ（階調、色相、彩度）の調整値を受信したり、パラメータの調整モードがポイント指定モードであるときに、ユーザによって指定された画像上の位置に対応する画像データの階調値を、支援装置２００に送信したりする。
【００４２】
Ｃ．支援装置の構成：
図３は、支援装置２００の概略構成を示す説明図である。図示した各機能ブロックは、パーソナルコンピュータ２００のＣＰＵ（図示せず）が、ハードディスク（図示せず）に記憶されている所定のコンピュータプログラムを、メモリ（図示せず）上で実行することによって、ソフトウェア的に構成されている。これらの機能ブロックの少なくとも一部を、ハードウェア的に構成してもよい。
【００４３】
表示制御部２２０は、パラメータの調整時に、ユーザによって選択された調整モードに従って、通常調整モード用調整画面２２２と、ポイント指定モード用調整画面２２４とのうちのいずれかをディスプレイに表示する。これらの各調整画面については、後述する。
【００４４】
調整値入力部２３０は、ディスプレイに表示された調整画面上で、ユーザによって設定された調整値を入力する。
【００４５】
通信部２１０は、各プロジェクタ１００と各種データのやり取りを行う。通信部２１０は、例えば、調整モードがポイント指定モードであるときに、プロジェクタ１００から、ユーザによって指定された画像上の位置に対応する画像データの階調値を受信したり、調整画面上で設定されたパラメータの調整値を送信したりする。通信部２１０は、本発明における階調値取得部、調整値出力部に相当する。
【００４６】
Ｄ．ポイント指定モード：
Ｄ１．調整画面：
図４は、調整モードがポイント指定モードであるときに、プロジェクタ１００によって投写される画像の一例を示す説明図である。図の上段に示したように、調整モードがポイント指定モードであるときには、まず、画像Ｐ上にマウスポインタＭＰが重ね合わせて表示される。そして、ユーザが、マウスポインタＭＰを、画像Ｐ上の所望の位置に移動させ、その位置をマウスボタンの操作によって指定したときに、本実施例では、図の下段に示したように、マウスポインタＭＰで指定された位置に、矩形のカーソルＣが表示されるとともに、カーソルＣと隣接する位置に、ポイント指定モード用調整画面ＷＳが表示される。このポイント指定モード用調整画面ＷＳは、後述するように、支援装置２００から受信した調整画面であり、支援装置２００のディスプレイに表示されるポイント指定モード用調整画面と同じである。支援装置２００のディスプレイに表示されるポイント指定モード用調整画面については、後述する。なお、本実施例では、ポイント指定モード用調整画面は、支援装置２００のディスプレイに表示されるので、画像Ｐ上には表示しないようにしてもよい。ただし、本実施例のように、画像Ｐ上に調整画面を表示することによって、ユーザが視線を大きく移動させることなく、画像Ｐと、調整画面とを同時に見ることができるという利点がある。
【００４７】
図５〜図７は、ポイント指定モード用調整画面の一例を示す説明図である。このポイント指定モード用調整画面は、支援装置２００のディスプレイ、および、プロジェクタ１００によって投写される画像上に表示される画面である。
【００４８】
図５は、階調調整用調整画面の一例を示す説明図である。図示するように、この調整画面の上部には、ユーザが、調整パラメータとして、「階調」を選択するためのタブＴａｂ１と、「色相」を選択するためのタブＴａｂ２と、「彩度」を選択するためのタブＴａｂ３とが配置されている。ユーザは、これらのタブのいずれかの上にマウスポインタを移動させ、マウスボタンを操作することによって、所望の調整パラメータを選択することができる。図５に示した例では、タブＴａｂ１が黒塗りで示されており、調整パラメータとして「階調」が選択されていることを示している。
【００４９】
階調調整用調整画面には、調整対象の色の名前を表示する領域Ａ１と、各色ごとの調整値を表示する領域Ａ２と、各色ごとの調整値を設定するためのスライダバーを表示する領域Ａ３とが配置されている。本実施例では、領域Ａ３に表示されたスライダを移動させることによって、Ｒ（赤），Ｇ（緑），Ｂ（青）のそれぞれについて、調整値を設定可能である。図示した例では、調整値は、調整可能な範囲内で、−１００〜＋１００％の間で設定可能である。調整可能な範囲は、各階調値や、色相、彩度毎に、任意に設定可能である。例えば、明るい部分の階調を変更する場合は、−１００％に設定しても黒表示にならないように、逆に、暗い部分の階調を変更する場合は、＋１００％に設定しても、白（明るさ最大）表示にならないように、適宜設定することが望ましい。スライダは、マウスや、キーボードの操作によって移動させることができる。領域Ａ３に配置されたスライダバーの調整範囲は、プロジェクタ１００から受信した画像データの階調値に応じて変更される。なお、本実施例では、調整値を百分率で設定するものとしたが、例えば、階調値で設定するようにしてもよい。
【００５０】
この調整画面には、また、パラメータの調整を確定し、プログラムを終了するための「ＯＫ」ボタンＢ１や、パラメータの調整を中断し、画像上の位置の指定を行うステップに戻るための「キャンセル」ボタンＢ２も配置されている。
【００５１】
図６は、色相調整用調整画面の一例を示す説明図である。また、図７は、彩度調整用調整画面の一例を示す説明図である。いずれの調整画面にも、図５に示した階調調整用調整画面と同様に、調整対象の色の名前を表示する領域と、各色ごとの調整値を表示する領域と、各色ごとの調整値を設定するためのスライダバーを表示する領域とが配置されており、スライダを移動させることによって、調整値を設定することができる。本実施例では、Ｒ（赤），Ｇ（緑），Ｂ（青），Ｃ（シアン），Ｍ（マゼンタ），Ｙ（イエロ）の６軸について、調整値の設定が可能である。色相調整用調整画面、彩度調整用調整画面には、「ＯＫ」ボタンや、「キャンセル」ボタンも配置されている。
【００５２】
Ｄ２．パラメータ調整処理：
図８は、ポイント指定モード時のパラメータ調整処理の流れを示すフローチャートである。図の左側には、プロジェクタ１００における処理の流れを示した。図の右側には、支援装置２００における処理の流れを示した。
【００５３】
まず、ユーザが調整モードとしてポイント指定モードを選択すると、プロジェクタ１００は、画像上にマウスポインタを表示する（ステップＳ１００）。
【００５４】
ユーザは、支援装置２００のマウスを操作して、マウスポインタを画像上の所望の位置に移動させ、色補正を行いたい色が表示されている位置の指定を行う（ステップＳ１１０）。
【００５５】
位置の指定が行われると、プロジェクタ１００は、マウスポインタの表示位置に基づいて、指定された位置の画像上の座標値を特定し（ステップＳ１１５）、その位置に対応する画像データの階調値を取得する（ステップＳ１２０）。この画像データの階調値は、フレームメモリ１４から取得することができる。そして、プロジェクタ１００は、取得した階調値を支援装置２００に送信する（ステップＳ１２５）。
【００５６】
支援装置２００は、プロジェクタ１００から階調値を受信すると（ステップＳ１３０）、階調値に応じて、先に説明したポイント指定モード用調整画面を表示する（ステップＳ１４０）。このポイント指定モード用調整画面は、随時、プロジェクタ１００に送信され、図４に示したように、プロジェクタ１００によって投写される画像上に重ね合わせて表示される。ユーザは、この調整画面上で調整値を設定する。そして、支援装置２００は、ポイント指定モード用調整画面上でユーザによって設定された調整値を取得し（ステップＳ１５０）、この調整値をプロジェクタ１００に送信する（ステップＳ１６０）。
【００５７】
プロジェクタ１００は、支援装置２００から調整値を受信すると（ステップＳ１７０）、この調整値に基づいて、ルックアップテーブルの調整を行う（ステップＳ１８０）。そして、プロジェクタ１００は、調整されたルックアップテーブルを用いて色補正処理を行い、補正された画像データに基づいて、画像を再表示する（ステップＳ１９０）。
【００５８】
ユーザは、ステップＳ１９０で再表示された画像を見て、所望の画像が得られれば、調整画面の「ＯＫ」ボタンを押下し、処理を終了する（ステップＳ１９５：ＹＥＳ）。所望の画像が得られなければ（ステップＳ１９５：ＮＯ）、ステップＳ１５０に戻り、さらに、調整値の設定を繰り返す。
【００５９】
なお、「キャンセル」ボタンが押下された場合には、支援装置２００は、処理がキャンセルされた旨をプロジェクタ１００に送信する。プロジェクタ１００は、処理がキャンセルされた旨を受信すると、ルックアップテーブルのデータを元に戻し、図４に示したように、再度、画像上の位置を指定するためのマウスポインタを表示する、すなわち、ステップＳ１００に戻る。
【００６０】
Ｅ．通常調整モード：
Ｅ１．調整画面：
図９は、通常調整モード用調整画面の一例を示す説明図である。ここでは、階調の調整を行うための調整画面を一例に説明し、色相、よおび、彩度を調整するための調整画面については、説明を省略する。なお、色相、よおび、彩度を調整するための調整画面は、それぞれ図６、および、図７と同様であり、Ｒ（赤），Ｇ（緑），Ｂ（青），Ｃ（シアン），Ｍ（マゼンタ），Ｙ（イエロ）の６軸について、調整値の設定が可能である。
【００６１】
図示するように、通常調整モード用調整画面には、調整対象となる画像データのレベルを、ユーザが入力するためのテキストボックスＴＢと、調整対象の色の名前を表示する領域Ａ１と、各色ごとの調整値を表示する領域Ａ２と、ユーザが各色ごとの調整値を設定するためのスライダバーを表示する領域Ａ３とが配置されている。また、この調整画面には、パラメータの調整を確定して、プログラムを終了するための「ＯＫ」ボタンＢ１や、パラメータの調整を行わずに、すなわち、調整値の変更を行わずに、プログラムを終了するための「キャンセル」ボタンＢ２も配置されている。
【００６２】
テキストボックスＴＢには、０〜１００までの値を入力することができる。例えば、画像データの階調数が２５６階調である場合、テキストボックスＴＢに入力されたレベルが０％である場合には、調整対象となる画像データの階調値は０であり、テキストボックスＴＢに入力されたレベルが１００％である場合には、調整対象となる画像データの階調値は２５５である。
【００６３】
本実施例では、ポイント指定モード用調整画面と同様に、領域Ａ３に表示されたスライダを移動させることによって、Ｒ（赤），Ｇ（緑），Ｂ（青）のそれぞれについて、調整値を設定可能である。図示した例では、調整値は、−１００〜＋１００％の間で設定可能である。この設定範囲は、テキストボックスＴＢに入力された値に応じて変更される。
【００６４】
Ｅ２．パラメータ調整処理：
図１０は、通常調整モード時のパラメータ調整処理の流れを示すフローチャートである。図の左側には、プロジェクタ１００における処理の流れを示した。図の右側には、支援装置２００における処理の流れを示した。
【００６５】
まず、ユーザが調整モードとして通常調整モードを選択すると、支援装置２００は、先に説明した通常調整モード用調整画面をディスプレイに表示する（ステップＳ２００）。そして、支援装置２００は、通常調整モード用調整画面上でユーザによって設定された調整値を取得し（ステップＳ２１０）、この調整値をプロジェクタ１００に送信する（ステップＳ２２０）。
【００６６】
プロジェクタ１００は、支援装置２００から調整値を受信すると（ステップＳ２３０）、この調整値に基づいて、ルックアップテーブルの調整を行う（ステップＳ２４０）。そして、プロジェクタ１００は、調整されたルックアップテーブルを用いて色補正処理を行い、補正された画像データに基づいて、画像を再表示する（ステップＳ２５０）。こうすることによって、ユーザは、色補正処理後の画像を観察しながら、パラメータの調整を行うことができる。
【００６７】
ユーザは、ステップＳ１５０で再表示された画像を見て、所望の画像が得られれば、調整画面の「ＯＫ」ボタンＢ１を押下し、処理を終了する（ステップＳ２６０：ＹＥＳ）。所望の画像が得られなければ（ステップＳ２６０：ＮＯ）、ステップＳ２１０に戻り、さらに、調整値の設定を繰り返す。
【００６８】
なお、「キャンセル」ボタンＢ２が押下された場合には、支援装置２００は、処理がキャンセルされた旨をプロジェクタ１００に送信する。プロジェクタ１００は、処理がキャンセルされた旨を受信すると、ルックアップテーブルのデータを元に戻す。
【００６９】
以上説明した本実施例の画像表示システム１０００によれば、画像の色に関するパラメータの調整モードとして、ポイント指定モードが用意されているので、画像上でユーザによって指定された位置に対応する色について、パラメータの調整を行うことができる。例えば、画像上の人間の肌の色を補正したいときに、その肌の位置を指定して、パラメータの調整を行うことができる。したがって、画像の色に関するパラメータの調整に関して、利便性を向上させることができる。
【００７０】
Ｆ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形例が可能である。
【００７１】
Ｆ１．変形例１：
図１１は、変形例としての支援装置２００Ａの概略構成を示す説明図である。この支援装置２００Ａは、通信部２１０と、表示制御部２２０と、調整値入力部２３０と、ルックアップテーブル調整部２４０とを備えている。また、この支援装置２００Ａは、図示しないルックアップテーブルを保持している。ルックアップテーブル調整部２４０は、先に説明したプロジェクタ１０のルックアップテーブル調整部２２と同様の機能を有しており、ディスプレイに表示された調整画面上で、ユーザによって設定された調整値に基づいて、ルックアップテーブルの調整を行う。そして、通信部２１０は、プロジェクタ１００に、調整されたルックアップテーブルを送信する。通信部２１０は、本発明におけるルックアップテーブル出力部に相当する。この場合、プロジェクタ１００は、支援装置２００Ａから受信したルックアップテーブルを用いて、色補正処理を行う。
【００７２】
こうすることによっても、上記実施例と同様に、画像の色に関するパラメータの調整に関して、利便性を向上させることができる。
【００７３】
Ｆ２．変形例２：
上記実施例では、支援装置２００によって、パラメータの調整を行うものとしたが、プロジェクタ１００に支援装置２００の機能を一体的に備えるようにしてもよい。これは、例えば、制御部４０が、支援装置２００の表示制御部２２０、および、調整値入力部２３０の機能を備えるようにすることによって構成することができる。この場合、上記実施例において、支援装置２００のマウスや、キーボードを用いて行った操作は、ポインティングデバイスを備えるリモコンを用いて行うようにすればよい。この支援装置２００の機能を一体的に備えるプロジェクタは、本発明における画像処理装置、および、画像表示装置に相当する。
【００７４】
Ｆ３．変形例３：
上記実施例では、画像表示装置として、プロジェクタを用いた場合を例にして説明したが、これに限られない。本発明は、他の画像表示装置についても同様に適用可能である。
【図面の簡単な説明】
【００７５】
【図１】本発明の一実施例としての画像表示システム１０００の構成を示す説明図である。
【図２】プロジェクタ１００の概略構成を示す説明図である。
【図３】支援装置２００の概略構成を示す説明図である。
【図４】調整モードがポイント指定モードであるときにプロジェクタ１００によって投写される画像の一例を示す説明図である。
【図５】階調調整用調整画面の一例を示す説明図である。
【図６】色相調整用調整画面の一例を示す説明図である。
【図７】彩度調整用調整画面の一例を示す説明図である。
【図８】ポイント指定モード時のパラメータ調整処理の流れを示すフローチャートである。
【図９】通常調整モード用調整画面の一例を示す説明図である。
【図１０】通常調整モード時のパラメータ調整処理の流れを示すフローチャートである。
【図１１】変形例としての支援装置２００Ａの概略構成を示す説明図である。
【符号の説明】
【００７６】
１０００...画像表示システム
１００...プロジェクタ
１２...レシーバ
１４...フレームメモリ
１６...ＯＳＤ部
２０...画像処理部
２２...ルックアップテーブル調整部
２２...ルックアップテーブル（ＬＵＴ）調整部
３０...液晶パネル駆動部
３２...液晶パネル
４０...制御部
４２...通信部
５０...照明装置
５２...光源ランプ
５４...ランプ駆動部
５８...投写光学系
２００、２００Ａ...支援装置（パーソナルコンピュータ）
２１０...通信部
２２０...表示制御部
２２２...通常調整モード用調整画面
２２４...ポイント指定モード用調整画面
２３０...調整値入力部
２４０...ルックアップテーブル（ＬＵＴ）調整部
【図１】
2005283838.tif 000003
【図２】
2005283838.tif 000004
【図３】
2005283838.tif 000005
【図４】
2005283838.tif 000006
【図５】
2005283838.tif 000007
【図６】
2005283838.tif 000008
【図７】
2005283838.tif 000009
【図８】
2005283838.tif 000010
【図９】
2005283838.tif 000011
【図１０】
2005283838.tif 000012
【図１１】
2005283838.tif 000013